(57)【特許請求の範囲】
【請求項１】
ガスの入口から出口に向って含塵ガスを流すケーシングと、上記ケーシング内の集塵域となるガス流路に吊り下げられる多数の放電極と、対の無端チェーンに懸垂された複数枚の集塵極板によってループを形成して周回し、上記周回する集塵極板の面を所定位置でブラッシングする掻き落し手段を有する多数の移動電極を備えた移動電極式電気集塵装置において、上記掻き落し手段は、
上記集塵極板の両面に幅方向に延びる一対の長尺ブラシと、
上記各長尺ブラシを支えて上記集塵極板の両面に接触する方向に回動する上記ケーシングに軸支された一対のブラシ固定軸と、
上記各ブラシ固定軸に一方が固定され、上記ブラシ固定軸と共に回動する一対のリンク棒と、
上記各リンク棒の他方に取り付けられ、上記各長尺ブラシが上記集塵極板の両面を挟むように接触する方向に上記各リンク棒を付勢する共通の付勢手段を備え、
上記長尺ブラシとブラシ固定軸はケーシング内に配置され、上記リンク棒と共通の付勢手段はケーシング外に配置され、ケーシングを貫通して突出したブラシ固定軸の端部に上記リンク棒が固定されたことを特徴とする移動電極式電気集塵装置。
【請求項２】
請求項１に記載の移動電極式電気集塵装置において、上記付勢手段は錘であることを特徴とする移動電極式電気集塵装置。
【請求項３】
請求項１または２に記載の移動電極式電気集塵装置において、さらに上記付勢手段による付勢方向を規制する案内部材を備えたことを特徴とする移動電極式電気集塵装置。
【請求項４】
請求項１〜３のいずれかに記載の移動電極式電気集塵装置において、上記リンク棒と付勢手段はワイヤで接続されていることを特徴とする移動電極式電気集塵装置。
【請求項５】
請求項１〜３のいずれかに記載の移動電極式電気集塵装置において、上記リンク棒と付勢手段はリンク部材で接続されていることを特徴とする移動電極式電気集塵装置。
【発明の詳細な説明】
【技術分野】
【０００１】
本発明は、移動電極式電気集塵装置に係り、特にケーシング内に所定の間隔を有して吊り下げられる多数の放電極の近傍に配置され周回移動する集塵極板のダストを掻き落す固定ブラシを備えた電気集塵装置に関する。
【背景技術】
【０００２】
この種の電気集塵装置は、例えば火力発電所のボイラー排ガスや製鉄用各種炉の排ガス中のダストを除去するための電気集塵装置として知られ、特許文献１に示される概略構造を図７〜図１０に基づいて説明する。
【０００３】
図７において、移動電極式電気集塵装置１０はケーシング１２と、このケーシング１２の下部のホッパー１３と、ケーシング１２内に配設された多数の放電枠（放電極）１４及び多数の移動電極１５とによって構成されており、入口煙道１６からケーシング１２内に導入された排ガス１７は、電気集塵の原理によって除塵され、出口煙道１８から排出される。捕集されたダストはホッパー１３内に落下し、図示されない機構によって、排出口２０から取り出す。
【０００４】
図８は図７のＡ−Ａ矢視図であり、ケーシング１２内には所定の間隔を有して多数の放電枠１４が図７に示した碍子２２から垂れ下げた吊り枠２４を介して吊り下げられている。また、この放電枠１４を一個置きに周回する多数の移動電極１５が配設されている。
【０００５】
すなわち、移動電極１５は上部の駆動ホイール２６と下部ローラー２８との間には一対の無端チェーン３０、３０が張り渡されており、この一対の無端チェーン３０、３０に複数枚の集塵極板３２がその移動方向の縦長さの中間部３３の位置で係止されて懸垂され、板面がガスの流れに沿って配置されており、全体としてループを形成している。駆動ホイール２６の駆動軸３４は図示されない駆動機構によって回転し、この駆動軸３４の回転が駆動ホイール２６と噛み合う一対の無端チェーン３０、３０に伝達されて、前記ループを形成する複数枚の集塵極板３２が前記放電枠１４を一個置きに周回移動する。
【０００６】
図９は移動電極１５下部の配置図であり、無端チェーン３０に懸垂されて下降した集塵極板３２は下部ローラー２８の位置でＵターンし、上昇に転じる。この上昇直後の集塵極板３２を挟む位置に一対の回転ブラシ３６、３８（ブラシ手段４０）が移動電極１５の各レーン毎に配置されている。ブラシ３６、３８は回転軸に金属製の刷毛を植毛したものであり、集塵極板３２の表面に付着したダストを下方に払い落とすように、ブラシ３６は時計廻りに、ブラシ３８は反時計廻りに回転する。ブラシ手段４０よって表面に付着したダストが除去された集塵極板３２は順次上昇し、放電枠１４がある放電領域で電気集塵の原理により排ガス中のダストをその表面に捕集して、再び下降してくる。
【０００７】
ところで、上記移動電極１５は大規模な装置の場合、数が５０〜１００レーンとなり、これらを駆動する駆動装置、及びブラシ手段４０を回転駆動する駆動装置が必要で設備費が多大になり、また、ブラシ手段が磨耗したとき、ブラシ手段の押付代を変化（調整）する作業を定期的に行なっているが、駆動手段等があるために作業量も多く、コストの面でも負担となっている。更に、調整ですまない場合には、機能確保のためブラシ手段の交換を行なうがその費用、手間が必要となってくる。
【０００８】
特許文献２には、固定式ブラシを用いた電気集塵機が示されている。この技術では固定式ブラシを自重や錘により集塵電極の金属ネットに押圧接触させて、ダストを掻き落している。この固定式ブラシは、上記回転ブラシと比べて構造が簡単であり、機能確保のためのブラシ手段の交換の費用と手間が少なくて済む。特許文献１の電気集塵装置に特許文献２の上記固定式ブラシを採用すると図１０の構成のものが考えられる。
【先行技術文献】
【特許文献】
【０００９】
【特許文献１】特開２００１−２４６２８６号公報
【特許文献２】特開２００３−６２４８６号公報
【発明の概要】
【発明が解決しようとする課題】
【００１０】
しかしながら、集塵極板３２は中間部３３の位置で係止されて無端チェーン３０に懸垂されているために、揺れが生じる場合があり、図１０の電気集塵装置で、支持部が固定され自重で集塵極板３２の両側（表裏面）に寄りかかる一対の固定式ブラシを独立に可動可能に構成した場合、集塵極板３２の位置がずれると、片方のブラシが自重で落ち、他方のブラシが上方に持ち上げられる。図１０で説明すると、図１０（ａ）は集塵極板３２の位置ずれが無い場合で、図１０（ｂ）は矢印（左）方向に位置ずれしている場合を示している。図１０（ｂ）に示すように、右側のブラシ４２の先端から集塵極板３２が左側に位置がずれるとブラシ４２が自重で降下し、右側のブラシ４１の先端が集塵極板３２で上方に持ち上げられ、両ブラシの集塵極板３２との角度が異なって押付け力が不均一となる。したがって、集塵極板３２の両面のダストを均一に掻き落すことができず、ダストの掻き落し効率が悪くなって、延いては集塵効率を悪化させる。
【００１１】
本発明は、上記従来の問題に鑑み、移動式集塵極板の両面の均一な掻き落し性能が得られる移動電極式電気集塵装置を提供することを目的とする。
【課題を解決するための手段】
【００１２】
上記課題を解決するため本発明は、ガスの入口から出口に向って含塵ガスを流すケーシングと、上記ケーシング内の集塵域となるガス流路に吊り下げられる多数の放電極と、対の無端チェーンに懸垂された複数枚の集塵極板によってループを形成して周回し、上記周回する集塵極板の面を所定位置でブラッシングする掻き落し手段を有する多数の移動電極を備えた移動電極式電気集塵装置において、上記掻き落し手段は、
上記集塵極板の両面に幅方向に延びる一対の長尺ブラシと、
上記各長尺ブラシを支えて上記集塵極板の両面に接触する方向に回動する上記ケーシングに軸支された一対のブラシ固定軸と、
上記各ブラシ固定軸に一方が固定され、上記ブラシ固定軸と共に回動する一対のリンク棒と、
上記各リンク棒の他方に取り付けられ、上記各長尺ブラシが上記集塵極板の両面を挟むように接触する方向に上記各リンク棒を付勢する共通の付勢手段を備え、
上記長尺ブラシとブラシ固定軸はケーシング内に配置され、上記リンク棒と付勢手段はケーシング外に配置され、ケーシングを貫通して突出したブラシ固定軸の端部に上記リンク棒が固定されたことを特徴とする。
【００１４】
また、上記に記載の移動電極式電気集塵装置において、さらに上記付勢手段による付勢方向を規制する案内部材を備えたことを特徴とする。
【００１５】
また、上記に記載の移動電極式電気集塵装置において、上記付勢手段は錘であることを特徴とする。
【００１６】
また、上記に記載の移動電極式電気集塵装置において、上記リンク棒と付勢手段はワイヤで接続されていることを特徴とする。
【００１７】
また、上記に記載の移動電極式電気集塵装置において、上記リンク棒と付勢手段はリンク部材で接続されていることを特徴とする。
【発明の効果】
【００１８】
本発明によれば、簡単な構成で移動式の集塵極板の両面のダストを均一に落すことができるので、集塵効率を高めることができる。
【図面の簡単な説明】
【００１９】
【図１】本発明の実施例１の移動電極の下部の配置図である。
【図２】実施例１の掻き落し手段の構成を示す斜視図である。
【図３】実施例１の掻き落し手段の動作の説明図である。
【図４】実施例２の操作リンクの説明図である。
【図５】実施例３の掻き落し手段の説明図である。
【図６】実施例４の掻き落し手段の説明図である。
【図７】電気集塵装置の一般的な構成を示す側断面図である。
【図８】図７のＡ−Ａ矢視図である。
【図９】移動電極の一般的な下部の配置図である。
【図１０】固定式ブラシを独立に可動可能に構成した場合の動作説明図である。
【発明を実施するための形態】
【００２０】
図１は本発明の実施例１に係る下部の配置図である。電気集塵装置としての全体構成は前記背景技術の欄で説明した図７〜図１０に示されるものと同様であり、前記と同一符号を付したものは同一の要素を示す。図２は掻き落し手段の構成を示す斜視図で集塵極板を図示省略してあり、図３は掻き落し手段の動作の説明図である。
【００２１】
図１において並列した移動電極１５Ａ、１５Ｂ、１５Ｃは、無端チェーン３０に懸垂されて周回により下降した集塵極板３２Ａ、３２Ｂ、３２Ｃが下部ローラ２８の位置でＵターンし、上昇に転じる。この上昇直後の集塵極板３２Ａ、３２Ｂ、３２Ｃの両面を挟む位置に、それぞれ掻き落し手段４０Ａ、４０Ｂ、４０Ｃが配置されている。
【００２２】
掻き落し手段４０Ａは、各集塵極板の両面に幅方向に伸びて接触する一対の同一寸法の長尺ブラシ１、２と、この長尺ブラシを支えて集塵極板３２Ａの両面に接触するように回動するブラシ固定軸３、４を備えている。集塵極板３２Ａは長尺ブラシ１、２の間に挟まれて配置されるが、図２では図示省略されている。ブラシ固定軸３、４は長尺状を呈しその中間部分が長尺ブラシ１、２の根元全体を支えてケーシング１２の内側に配置され、両端部がケーシング１２に設けられた軸受け３ａ、４ａに回転自在に軸支されている。そしてブラシ固定軸３、４の一方端が軸受け３ａ、４ａを貫通してケーシング１２の外側に突出している。このケーシング１２の外側に突出しているブラシ固定軸３、４の一方端には、それぞれ同一寸法の長尺状のリンク棒５、６が固定され、このリンク棒５、６とブラシ固定軸３、４は一体的に回動する。
【００２３】
リンク棒５、６は、ブラシ固定軸３、４の一方端から下に延びて途中で交差するように固定され、各下端にワイヤ７、８が固定され、両ワイヤ７、８の下端には共通の付勢手段としての錘１１が吊下げられている。９はワイヤの移動（付勢）方向を規制するワイヤ案内軸（案内部材）であり、上記軸受け３ａ、４ａの中間位置であって下方に位置するように、取付け座９ａを介してケーシング１２の外壁に固定される。両ワイヤ７、８は、上記リンク棒５、６の下端から下方に伸びて途中で交差するように上記ワイヤ案内軸９に掛けまわされ、さらに下方に伸び、錘１１が吊下げられている。
【００２４】
錘１１は共通の錘であるため、その自重による下降軌跡が鉛直方向に規制されながら両ワイヤ７、８を介して、リンク棒５、６の下端を常にワイヤ案内軸９（固定位置）方向に錘重量の約半分の力で引く（付勢する）。従って、集塵極板３２Ａを挟むようにして常に中央に寄せながらその両面に長尺ブラシ１、２をほぼ均等な押圧力で接触させることができる。
【００２５】
長尺ブラシ１、２は、針金状の金属の毛を束ねて構成された金属ブラシであり、集塵極板３２Ａの表面と角度α（４５°〜９０°）だけ集塵極板３２Ａの進行方向（上向き）に傾斜して接触するように配置されている。なお、他の掻き落し手段４０Ｂ、４０Ｃも、上記掻き落し手段４０Ａと同じ構成を有している。
【００２６】
次に上記掻き落し手段４０Ａの動作について説明する。図３（ａ）は、長尺ブラシ１、２の毛先の磨耗が少なく、集塵極板表面との角度αが約４５°の場合を示す。錘１１の自重によりワイヤ７、８が案内軸９の方向（矢印Ｂ１、Ｂ２方向）にほぼ均等な圧力で引かれ、リンク棒５、６が、軸受け３ａ、４ａを中心に矢印Ｃ１、Ｃ２方向に回転するように付勢される。これに伴い、ブラシ固定軸３、４も矢印Ｃ１、Ｃ２方向に回転し、長尺ブラシ１、２が、矢印Ｄ１、Ｄ２方向に回転して集塵極板３２Ａを両面から挟んでほぼ等しい押付圧力で接触し、集塵極板３２Ａの上昇移動に伴って両面に付着したダストが掻き落される。このときの接触圧は、錘１１の重さによって任意に決められるが、ダストの付着力や硬さによって掻き落しに適した値に設定される。
【００２７】
集塵極板３２Ａは前述のように無端チェーン３０に懸垂されているため、上方に移動中に揺れが生じる場合がある。本実施例によれば、錘１１の重さによってワイヤ７、８が、案内軸９の固定位置（矢印Ｂ１、Ｂ２方向）にほぼ均等な圧力でリンク棒５、６を引張るので、長尺ブラシが常に集塵極板３２Ａの両面を挟むようにほぼ均等な押付圧力で接触し、揺れを抑えて集塵極板３２Ａを常に長尺ブラシの中央に維持することができる。
【００２８】
図３（ｂ）は、長年の使用により、長尺ブラシ１、２の磨耗が進んで寸法が短くなっている場合を示す。錘１１によって常に集塵極板３２Ａの両面に長尺ブラシ１、２で押付力が与えられているため、寸法が短くなった分だけ錘１１が下降し、リンク棒５、６がそれぞれＣ１、Ｃ２方向に更に閉じるように回動して、長尺ブラシ１、２による集塵極板３２Ａへの押圧力を確保する。長尺ブラシ１、２が水平方向に近づき、集塵板３２Ａの表面との角度αが９０°に近くなる。
【００２９】
図３（ｂ）の状態でも、図３（ａ）と同様に、集塵極板３２Ａの上昇移動に伴って、その両面に付着したダストが長尺ブラシ１、２の接触圧で掻き落される。また、長尺ブラシが常に集塵極板３２Ａの両面にほぼ均等な押付圧力で接触し、揺れを抑えて集塵極板３２Ａを常に長尺ブラシの中央に維持することができる。
【００３０】
図３（ｂ）の状態から、錘１１が最下位まで下降してリンク棒５、６が閉じ、角度αが９０°になると、集塵極板３２Ａの両面への押圧力の確保ができないので、長尺ブラシの交換が必要となる。
【００３１】
本実施例１では、リンク棒５、６の下端にワイヤ７、８を介して錘１１を吊り下げるので、掻き落し手段を極めて簡単に構成することができる。上記では付勢手段として錘の重さを用いたが、ばね材であっても良い。なお、錘の重さを利用した場合、長尺ブラシの磨耗の程度にかかわらず（錘の位置にかかわらず）付勢力を一定に持続できるので、集塵極板への押付圧力が変わらずに安定した掻き落し性能を維持できる。
【００３２】
図４にリンク棒関連の実施例２を示し、図３と同一符号は同一部分を示す。実施例１と比べると、ワイヤ７、８に代えて、リンク棒５、６の下端にはそれぞれリンク材７ａ、８ａが支点５ａ、６ａで軸支され、リンク材７ａ、８ａ同士の下端が支点８ｂで軸支されている。さらにリンク材７ａ、８ａ同士の下端にリンク材７ｂが固定され、錘１１が吊り下げられる。そして、ケーシング１２（図示せず）の外壁に固定された突起９ｂ、９ｃによってリンク案内溝９ｄ（案内部材）が構成され、この案内溝９ｄにリンク材７ｂが通され、錘１１が吊り下げられる。このリンク案内溝９ｄは、錘１１の自重による下降軌跡（付勢方向）が横にずれないように鉛直方向に規制する作用を果たす。
【００３３】
上記構成の実施例２では、実施例１のワイヤ７、８に代えて、リンク材７ａ、８ａ、７ｂで、図３（ａ）（ｂ）と同じ動作を行うものである。すなわち、リンク材７ａ、８ａの支点８ｂをリンク材７ｂで鉛直方向に引く（付勢する）ことにより、リンク棒５、６にはそれぞれ錘の重量の約半分の付勢力が加えられ、集塵極板３２Ａの両面にほぼ均等な押圧力で挟むように長尺ブラシ１、２を接触させることができる。また、本実施例２では実施例１のワイヤ７、８と比べ、リンク材７ａ、８ａを用いるので、掻き落し手段の剛性を高めることができる。
【００３４】
図５は本発明の実施例３の掻き落し手段の構成を示す斜視図である。固定軸３、４の一方端が軸受け３ａ、４ａを貫通してケーシング１２の外側に突出しており、更にケーシング１２の外壁に固定した座板５１を貫通して外側に突出している。この座板５１から突出した固定軸３、４の一方端には、それぞれレバー（リンク棒に相当）５２、５３が固定され、レバー５２、５３を手で回転操作することにより固定軸３、４を回動する構成となっている。また、レバー５２、５３には所定位置に貫通孔５４が設けられ、上記座板５１にはレバーが回転したとき上記貫通孔５４が描く円に沿って多数の固定孔５５が設けられる。貫通孔５４と固定孔５５は一致した状態で両孔にボルト（図示せず）が挿入され、固定軸３、４を所定位置に止めることができる。
【００３５】
磨耗により長尺ブラシ１、２の長さが短くなったとき、上記レバー５２、５３を図５の矢印方向に回動させて長尺ブラシ１、２の先端を集塵極板に接触させ、ボルトで固定する。従って、磨耗の状態に合わせて長尺ブラシ１、２を適切な押圧力で集塵極板に接触させることができる。しかも、上記レバー５２、５３は個別に回転できるので、各長尺ブラシの磨耗の状態に合わせて個別に調整することができる。
【００３６】
図６は本発明の実施例４の掻き落し手段の構成を示す斜視図である。上記実施例３と異なる点は、レバー６２、６３がクロスする状態で固定軸３、４の一方端に固定され、レバー６２、６３の下方端にはそれぞれ、貫通孔６４が設けられる。そして、上記座板５１の代わりにケーシング１２に円弧板６１を設け、この円弧板６１にレバーが回転したとき上記貫通孔６４が描く円弧に沿って多数の固定孔６５が設けられる。磨耗により長尺ブラシ１、２の長さが短くなったとき、実施例３と同様に、レバー６２、６３を図６の矢印方向に回動させて長尺ブラシ１、２の先端を集塵極板に接触させ、ボルトで固定する。本実施例も上記レバー６２、６３を個別に回転できるので、各長尺ブラシの磨耗の状態に合わせて個別に調整することができる。
【符号の説明】
【００３７】
１、２…長尺ブラシ、３、４…ブラシ固定軸、５、６…リンク棒、５ａ、６ａ、８ａ…支点、７、８…ワイヤ、７ａ、７ｂ、８ａ…リンク材、９、９ｄ…案内部材（案内軸、案内溝）、１０…移動電極式電気集塵装置、１１…付勢手段（錘、バネ）１２…ケーシング、１４…放電極、１５…移動電極、３０…無端チェーン、３２Ａ〜３２Ｃ…集塵極板、４０Ａ〜４０Ｃ…掻き落し手段。
【図１】
0005513934.tif 000002
【図２】
0005513934.tif 000003
【図３】
0005513934.tif 000004
【図４】
0005513934.tif 000005
【図５】
0005513934.tif 000006
【図６】
0005513934.tif 000007
【図７】
0005513934.tif 000008
【図８】
0005513934.tif 000009
【図９】
0005513934.tif 000010
【図１０】
0005513934.tif 000011